(57)【要約】【課題】後向きの作業者の苗投入作業によって苗を植付けるとともに、畝の終端部における対応作業への適切な移行を可能とする移植機を提供する。【解決手段】移植機(１)は、作業座席(２)を機体前部に備えてその後方で苗を受ける苗供給装置(３)と、この苗供給装置(３)から苗を受けて圃場に植付ける苗植付具(５)と、作業条の終端部を検知する端部検知装置(１ｃ)とを備えて構成され、機体前部には、圃場面を圧接して凹凸を均す前鎮圧装置(７)と、この前鎮圧装置(７)の接地状態を検知する接地検知部材(７ｃ)とを設け、この接地検知部材(７ｃ)が前記前鎮圧装置(７)の接地状態を検知していない状態で、前記端部検知装置(１ｃ)が作業条の終端部を検知した時に、前記苗植付具(５)と前記苗供給装置(３)の作動を停止するとともに走行を停止することにより、作業条の終端部対応作業に移行可能とするものである。【選択図】図１
2019110826.tif 000002
【特許請求の範囲】
【請求項１】
作業座席(２)を機体前部に備えてその後方で苗を受ける苗供給装置(３)と、この苗供給装置(３)から受けた苗を圃場に植付ける苗植付具(５)と、機体直下で作業条の終端部を検知する端部検知装置(１ｃ)とを備えて圃場に苗を植付けつつ圃場走行する移植機において、
機体前方で圃場面を圧接して凹凸を均す前鎮圧装置(７)と、この前鎮圧装置(７)の接地状態を検知する接地検知部材(７ｃ)とを設け、この接地検知部材(７ｃ)が前記前鎮圧装置(７)の接地状態を検知していない状態で、前記端部検知装置(１ｃ)が作業条の終端部を検知した時に、前記苗植付具(５)と前記苗供給装置(３)の作動を停止するとともに走行を停止することを特徴とする移植機。
【請求項２】
前記前鎮圧装置(７)は、左右の走行輪(１ａ，１ａ)によって支持した走行車体の前側で圃場面を接地鎮圧する鎮圧ローラ(７ａ)と、この鎮圧ローラ(７ａ)を上下回動可能に支持する鎮圧支持アーム(７ｂ)とによって構成し、この鎮圧支持アーム(７ｂ)の前後長さを前記走行輪(１ａ，１ａ)のトレッド幅以上とすることを特徴とする請求項１の移植機。
【請求項３】
前記鎮圧ローラ(７ａ)は、加重材を充填調節可能な円筒状の中空体によって構成することを特徴とする請求項２に記載の移植機。
【請求項４】
前記走行輪(１ａ，１ａ)のトレッドを調節可能に構成し、この走行輪(１ａ，１ａ)のトレッド調節範囲で前記鎮圧支持アーム(７ｂ)の前後長さを伸縮調節可能に構成することを特徴とする請求項２または３に記載の移植機。
【請求項５】
前記走行車体にエンジンとミッションケースとを配置し、このミッションケースから走行および植付けの動力を伝動調節する作業クラッチと、この作業クラッチを操作する作業操作部材とを設けた上で、前記接地検知部材(７ｃ)が非検知状態で、且つ前記端部検知装置(１ｃ)が検知状態になった時に、前記作業操作部材に作用して前記作業クラッチを切状態にする連動部材、または、前記エンジンを停止または出力低下させる出力抑制装置の少なくとも一方を設けることを特徴とする請求項１から４のいずれか１項に記載の移植機。
【請求項６】
前記走行輪(１ａ，１ａ)の走行伝動軸の回転を規制するブレーキ装置を設け、前記接地検知部材(７ｃ)が非検知状態で、且つ前記端部検知装置(１ｃ)が検知状態になると、前記ブレーキ装置を作動させることを特徴とする請求項５に記載の移植機。
【請求項７】
前記前鎮圧装置(７)を走行車体の前端部よりも機体後側に収納保持可能に前記作業座席(２)の機体前側に設けた保持部材(７ｄ)と、前記走行車体の車高調節装置とを設け、この車高調節装置による車体昇降と対応して、前記前鎮圧装置(７)を収納状態と使用状態に切り替える昇降連動制御部を備えることを特徴とする請求項１から６のいずれか１項に記載の移植機。
【発明の詳細な説明】
【技術分野】
【０００１】
本発明は、苗供給装置に投入された苗を苗植付具によって畝に植付ける移植機に関するものである。
【背景技術】
【０００２】
先行特許文献１に記載の移植機は、走行車体の苗植付具に苗を供給する苗供給テーブルを備え、この苗供給テーブルよりも機体前側に、苗を供給する作業者が搭乗する作業座席を設けている。この作業座席に搭乗する作業者は、苗供給テーブル側を向く必要があるので、移植機の進行方向とは反対の方向を向いており、進路上の状況を確認しにくい。
【０００３】
そこで、移植機の機体前側の下部に畝端検知装置を設け、この畝端検知装置が、植付作業を行う畝の上面に接触しているときはスイッチが切れ、畝の終端で高さが変わり非接触状態になるとスイッチが入りになり、畝端に到達したことを報知するブザーが鳴る。これにより、作業者は苗供給テーブルに苗を供給する作業に集中することができることから、苗の供給ミスが防止さる。
【先行技術文献】
【特許文献】
【０００４】
【特許文献１】特許第５９４９７２８号公報
【発明の概要】
【発明が解決しようとする課題】
【０００５】
しかしながら、畝端検知装置は、圃場面の高さの変化により畝端か否かを判断するものであるので、畝に大きな凹部があるとスイッチが入状態になり、ブザーを作動させることがある。これにより、作業者が畝端に到達したと勘違いし、作業を中断してしまい、作業能率が低下したり、苗の植付間隔が乱れたりする問題がある。
【０００６】
また、畝端が緩やかな傾斜になっていると、畝端である箇所に到達しても畝端が検知されず、移植機が前進し過ぎることがある。このとき、移植機が畦に接近し過ぎると、機体旋回のために一旦後進する必要が生じ、作業能率が低下する問題がある。
【０００７】
また、高さが低い畝端の本来苗を植え付けない位置まで苗が植え付けられてしまい、苗が余分に消費されるとともに、移植機が前進し過ぎて圃場端の畦や壁に接触し、破損する問題がある。
【０００８】
本発明の目的は、後向きの作業者により苗供給装置に投入した苗を苗植付具によって畝に植付けるとともに、畝の終端に到達したことの確実な検出により、後向きの作業者による作業条終端部における対応作業への適切な移行を可能とする移植機を提供することにある。
【課題を解決するための手段】
【０００９】
請求項１に記載の発明は、作業座席(２)を機体前部に備えてその後方で苗を受ける苗供給装置(３)と、この苗供給装置(３)から受けた苗を圃場に植付ける苗植付具(５)と、機体直下で作業条の終端部を検知する端部検知装置(１ｃ)とを備えて圃場に苗を植付けつつ圃場走行する移植機において、機体前方で圃場面を圧接して凹凸を均す前鎮圧装置(７)と、この前鎮圧装置(７)の接地状態を検知する接地検知部材(７ｃ)とを設け、この接地検知部材(７ｃ)が前記前鎮圧装置(７)の接地状態を検知していない状態で、前記端部検知装置(１ｃ)が作業条の終端部を検知した時に、前記苗植付具(５)と前記苗供給装置(３)の作動を停止するとともに走行を停止することを特徴とする。
【００１０】
請求項２に記載の発明は、請求項１に記載の発明において、前記前鎮圧装置(７)は、左右の走行輪(１ａ，１ａ)によって支持した走行車体の前側で圃場面を接地鎮圧する鎮圧ローラ(７ａ)と、この鎮圧ローラ(７ａ)を上下回動可能に支持する鎮圧支持アーム(７ｂ)とによって構成し、この鎮圧支持アーム(７ｂ)の前後長さを前記走行輪(１ａ，１ａ)のトレッド幅以上とすることを特徴とする。
【００１１】
請求項３に記載の発明は、請求項２に記載の発明において、前記鎮圧ローラ(７ａ)は、加重材を充填調節可能な円筒状の中空体によって構成することを特徴とする。
【００１２】
請求項４に記載の発明は、請求項２または３に記載の発明において、前記走行輪(１ａ，１ａ)のトレッドを調節可能に構成し、この走行輪(１ａ，１ａ)のトレッド調節範囲で前記鎮圧支持アーム(７ｂ)の前後長さを伸縮調節可能に構成することを特徴とする。
【００１３】
請求項５に記載の発明は、請求項１から４のいずれか１項に記載の発明において、前記走行車体にエンジンとミッションケースとを配置し、このミッションケースから走行および植付けの動力を伝動調節する作業クラッチと、この作業クラッチを操作する作業操作部材とを設けた上で、前記接地検知部材(７ｃ)が非検知状態で、且つ前記端部検知装置(１ｃ)が検知状態になった時に、前記作業操作部材に作用して前記作業クラッチを切状態にする連動部材、または、前記エンジンを停止または出力低下させる出力抑制装置の少なくとも一方を設けることを特徴とする。
【００１４】
請求項６に記載の発明は、請求項５に記載の発明において、前記走行輪(１ａ，１ａ)の走行伝動軸の回転を規制するブレーキ装置を設け、前記接地検知部材(７ｃ)が非検知状態で、且つ前記端部検知装置(１ｃ)が検知状態になると、前記ブレーキ装置を作動させることを特徴とする。
【００１５】
請求項７に記載の発明は、請求項１から６のいずれか１項に記載の発明において、前記前鎮圧装置(７)を走行車体の前端部よりも機体後側に収納保持可能に前記作業座席(２)の機体前側に設けた保持部材(７ｄ)と、前記走行車体の車高調節装置とを設け、この車高調節装置による車体昇降と対応して、前記前鎮圧装置(７)を収納状態と使用状態に切り替える昇降連動制御部を備えることを特徴とする。
【発明の効果】
【００１６】
請求項１に記載の発明は、接地検知部材(７ｃ)が走行車体の前方に位置する前鎮圧装置(７)の接地状態を検知していない場合に、端部検知装置(１ｃ)が作業条の終端部を検知すると、苗植付具(５)、苗供給装置(３)が停止するとともに、機体走行を停止することから、後向きの苗投入作業は、作業条終端部で必要な作業に適切に移行することが可能となるので、作業者が作業条の端部への到達に気付かず前進し、旋回すべき位置を通り越すことを防止でき、旋回走行を適切な位置で能率よく行うことができる。
また、苗植付具(５)が苗を空中で解放し、圃場に落とすことを防止できるので、苗が余分に消費されることが防止されるとともに、苗を拾う作業が不要になる。
また、作業条の凹部等による誤検知によって作業条の途中で作業が中断されることを防止できるので、作業能率の低下が防止される。
【００１７】
請求項２に記載の発明は、請求項１に係る発明の効果に加え、鎮圧支持アーム(７ｂ)の前後長さを走行輪(１ａ，１ａ)のトレッド幅以上とすることにより、畝端検出による停車時に、機体前方の鎮圧ローラ(７ａ)まで鎮圧支持アーム(７ｂ)の長さの距離、すなわち、機体旋回に必要な走行輪(１ａ，１ａ)のトレッド幅以上の距離が確保されることから、圃場端の壁や畦等に接触することなく、機体旋回により隣接条の植付け作業に移行することができる。
【００１８】
請求項３に記載の発明は、請求項２に係る発明の効果に加え、加重材（砂、水等）の出し入れ調節によって鎮圧ローラ(７ａ)の重量を変更できることから、圃場の土質等の条件に合わせて鎮圧荷重を変更することにより、作業条の凹凸を適切に均すことができ、苗の植付深さを安定化することができる。
また、鎮圧支持アーム(７ｂ)は、鎮圧荷重を調節するスプリング等を設ける必要が無くなるので、畝端部への到達時に鎮圧支持アーム(７ｂ)が畝面に追従して下方回動することができ、作業条の端部への到達を確実に検知できる。
【００１９】
請求項４に記載の発明は、請求項２または３に係る発明の効果に加え、鎮圧支持アーム(７ｂ)の前後長さを変更できることから、走行輪(１ａ，１ａ)の左右間隔の設定と対応させることにより、旋回時に機体が壁や畦に接触することが防止される。
【００２０】
請求項５に記載の発明は、請求項１から４のいずれか１項に係る発明の効果に加え、前記端部検知装置(１ｃ)と前記前鎮圧装置(７)が両方とも作業条から離れると、作業クラッチによってミッションケースからの伝動を遮断し、または出力抑制装置によってエンジンの出力を低下することから、旋回位置を越えて走行することや、苗を空中で放出して無駄に消費することが防止される。
【００２１】
請求項６に記載の発明は、請求項５に係る発明の効果に加え、作業条の端部で走行車体を停止させる際に、ブレーキ装置が自動的に作動することにより、圃場の傾斜による機体移動を防止できる。
【００２２】
請求項７に記載の発明は、請求項１から６のいずれか１項に係る発明の効果に加え、前鎮圧装置(７)を収納状態にすると走行車体の前端部よりも機体後側に位置することにより、旋回時に前鎮圧装置(７)が壁や畦に接触することを防止できるので、前鎮圧装置(７)の破損が防止される。
また、前鎮圧装置(７)の出し入れが、車高調節装置の操作に連動することから、別途操作する必要が無く、作業能率が向上する。
【図面の簡単な説明】
【００２３】
【図１】移植機の側面図
【図２】作業座席周りの要部側面図
【図３】植付部周りの側面図（要部断面図付帯）
【発明を実施するための形態】
【００２４】
上記技術思想に基づいて具体的に構成された実施の形態について以下に図面を参照しつつ説明する。なお、説明においては、移植機の前進方向Ｆを基準に、前後、左右と云う。
【００２５】
本発明の一実施例である移植機１は、その側面図を図１に示すように、左右の走行輪１ａ，１ａと、左右の前輪１ｂ,１ｂとによって車高調節およびトレッド調節を可能に支持した機体に、作業者が後向きに着座する作業座席２と、作業者が投入した苗を所定位置で所定のタイミングで投下する苗供給装置３と、機体後部の歩行操縦部４とを備え、苗供給装置３の下方には、昇降動作により、受けた苗を圃場に植えつける苗植付具５と鎮圧輪６を備え、また、前輪１ｂ,１ｂ位置の機体直下に、作業条の畝終端部を検知する端部検知装置１ｃを備えるとともに、機体前方に突出して前鎮圧装置７を備える。
【００２６】
（前鎮圧装置）
前鎮圧装置７は、２条条間の幅以上の長さの鎮圧ローラ７ａと、この鎮圧ローラ７ａを転動可能に所定高さ以上の範囲で上下回動支持する鎮圧支持アーム７ｂと、接地検知部材７ｃとによって構成する。
【００２７】
接地検知部材７ｃは、鎮圧ローラ７ａが畝の終端から外れたことを検出すると警告としてブザーを１回鳴らして機体が畝終端に近づいたことを知らせ、この接地検知部材７ｃと端部検知装置１ｃの両方が作動していない状況を電気的に感知したときは、植付作業を停止するように連動制御する。
【００２８】
鎮圧ローラ７ａは、円筒状の中空体によって砂、水等の加重材を充填調節可能に構成し、加重材の出し入れ調節によって鎮圧ローラ７ａの重量を変更できることから、圃場の土質等の条件に合わせて鎮圧荷重を変更することにより、作業条の凹凸を適切に均すことができ、苗の植付深さを安定化することができる。
【００２９】
また、鎮圧支持アーム７ｂは、鎮圧荷重を調節するスプリング等を設ける必要が無くなるので、畝端部への到達時に鎮圧支持アーム７ｂが追従して下方回動することができ、作業条の端部への到達を確実に検知できる
【００３０】
枕地では、トレッド幅を確保しないと機体旋回ができないことから、鎮圧ローラ７ａは枕地の目安ガイドを兼ね、鎮圧支持アーム７ｂの長さをトレッド寸法に比例して設定できるように、テレスコピック構成、すなわち、走行車体側に中空アームを上下回動可能に設け、この中空アームの内部に摺動アームを差し込み、この摺動アームの先端に鎮圧ローラ７ａを配置してトレッド調節の範囲で伸縮可能に構成する。
【００３１】
前鎮圧装置７は、機体旋回時に障害とならないように、作業座席２の背面の保持部材７ｄに引掛けて、鎮圧ローラ７ａの前端部が機体先端とほぼ同一線上となる機体先端までの範囲内に収納可能に構成する。
【００３２】
前鎮圧装置７の収納と展開は、植付油圧レバーと連動し、下降植付時は前側に展開し、上昇時は後側の収納位置に収まるように、作業座席２の機体前側となる背もたれ側に、鎮圧ローラ７ａの回転軸の左右端に引っ掛けるフック状の保持部材７ｄを設ける。
【００３３】
機体旋回時は、苗植付具５等が接地しないように車高を高くし、また、作業時は畝の高さに合わせて車高を下げて植付深さを決め、このとき、前鎮圧装置７は、車高調節用のレバー、または車高調節時に上下回動する走行伝動ケースにワイヤを装着することにより、連動可能に構成する。
【００３４】
接地検知部材７ｃと端部検知装置１ｃの両方が作用した時は、主クラッチが停止し、また、エンジンが停止し、さらに駐車ブレーキが作動するように連係制御する。
例えば、作業クラッチを入切操作するクラッチ入切モータまたはレバーによる作業操作部材を設け、接地検知部材７ｃが非検知状態で、且つ、端部検知装置１ｃが検知状態になると、ソレノイド、ワイヤ等の連動部材により、作業操作部材を作業クラッチ切状態にする側に移動させ、または、エンジンを停止または出力低下させるエンジンスロットルモータ等の出力抑制装置を設ける。
【００３５】
上記連係制御により、端部検知装置１ｃと前鎮圧装置７が両方とも作業条から離れると、ミッションケースからの伝動を遮断し、またはエンジンの出力を低下することから、旋回位置を越えて走行することや、苗を空中で放出して無駄に消費することが防止される。
【００３６】
また、走行輪１ａの回転を規制するブレーキ装置を設け、接地検知部材７ｃが非検知状態で、且つ端部検知装置１ｃが検知状態になると、ブレーキ装置を作動させることで、作業条の端部で走行車体を停止させる際に、圃場の傾斜による機体移動を防止できる。
【００３７】
（手すり）
作業座席周りには、その要部側面図を図２に示すように、コンテナフック２１に乗車時の手すり２２を付ける。この手すり２２は、コンテナ掛部の下で手で持ち易い高さに設ける。また、手すり２２は座席より後ろで、乗り降りに支障ない長さに構成する。
【００３８】
（鎮圧輪）
植付け部の鎮圧輪６，６は、植付部周りの側面図（要部断面図付帯）を図３に示すように、片側をくりぬいた球体車輪とすることで、作用面に継ぎ目が生じないことから、良好な鎮圧性を確保することができる。
鎮圧輪６，６のホッパ側（内側）を球面とすることで、法面でも平面でも鎮圧することができることから、畝の肩部の植付けが可能となる。
【００３９】
鎮圧輪フレーム６ａは、ばね付帯の付勢ロッド６ｂを介して植付けリンク５ａと連結することで、植付けリンク５ａの下降により鎮圧力が増加することから、苗近傍における鎮圧性能を向上することができる。
【００４０】
鎮圧輪６，６の取付部は、取付け位置を前後調節可能に構成することで、好みの位置や株間に合わせた位置で鎮圧力の増加が可能となる。
【００４１】
（技術的ポイント）
本発明の移植機について、技術的ポイントを列挙すると、以下のとおりである。
第一に、機体前方で圃場面を鎮圧して凹凸を均す前鎮圧装置７と、この前鎮圧装置７の接地状態を検知する接地検知部材７ｃとを設け、この接地検知部材７ｃが前鎮圧装置７の接地状態を検知していない状態で、端部検知装置１ｃが作業条の終端部を検知した時に、苗植付具５と苗供給装置３の作動を停止するとともに左右の走行輪１ａを停止する連携制御を設けることにより、走行車体の前方に位置する前鎮圧装置７が接地していないと状態で作業条の終端部を検知すると、苗植付具５、苗供給装置３が停止するとともに、機体走行を停止することから、作業者が作業条の端部への到達に気付かず前進し、旋回すべき位置を通り越すことを防止できるので、旋回走行を適切な位置で能率よく行うことができる。
【００４２】
また、苗植付具５が苗を空中で解放し、圃場に落とすことを防止できるので、苗が余分に消費されることが防止されるとともに、苗を拾う作業が不要になる。
また、作業条の凹部等による誤検知によって作業条の途中で作業が中断されることを防止できるので、作業能率の低下が防止される。
【００４３】
第二に、前鎮圧装置７は、圃場面を接地鎮圧する鎮圧ローラ７ａと、この鎮圧ローラ７ａを走行車体の前側で上下回動可能に支持する鎮圧支持アーム７ｂとによって構成し、この鎮圧支持アーム７ｂの前後長さを走行輪１ａ，１ａのトレッド距離以上とすることにより、鎮圧支持アーム７ｂの前後長さを走行輪１ａ，１ａのトレッド距離以上とすることにより、畝端検出による停車時に、機体前方の鎮圧ローラ７ａまで鎮圧支持アーム７ｂの長さの距離、すなわち、機体旋回に必要な走行輪１ａ，１ａのトレッド距離以上が確保されることから、圃場端の壁や畦等に接触することなく、機体旋回により隣接条の植付け作業に移行することができる。
【００４４】
第三に、鎮圧ローラ７ａは、円筒状の中空体によって加重材を充填調節可能に構成することにより、加重材（砂、水等）の出し入れ調節によって鎮圧ローラ７ａの重量を変更できることから、圃場の土質等の条件に合わせて鎮圧荷重を変更することにより、作業条の凹凸を適切に均すことができ、苗の植付深さを安定化することができる。
また、鎮圧支持アーム７ｂは、鎮圧荷重を調節するスプリング等を設ける必要が無くなるので、畝端部への到達時に鎮圧支持アーム７ｂが追従して下方回動することができ、作業条の端部への到達を確実に検知できる
【００４５】
第四に、走行輪１ａ，１ａのトレッドを調節可能に構成し、この走行輪１ａ，１ａのトレッド調節範囲で鎮圧支持アーム７ｂの前後長さを伸縮調節可能に構成することにより、鎮圧支持アーム７ｂの前後長さを変更できることから、走行輪１ａ，１ａの左右間隔の設定と対応させることにより、旋回時に機体が壁や畦に接触することが防止される。
【００４６】
第五に、走行車体にエンジンとミッションケースとを配置し、このミッションケースから走行および作業の動力を伝動調節する作業クラッチと、この作業クラッチを操作する作業操作部材とを設けた上で、接地検知部材７ｃが非検知状態で、且つ端部検知装置１ｃが検知状態になった時に、作業操作部材に作用して作業クラッチを切状態にする連動部材、または、エンジンを停止または出力低下させる出力抑制装置の少なくとも一方を設けることにより、端部検知装置１ｃと前鎮圧装置７が両方とも作業条から離れると、ミッションケースからの伝動を遮断し、またはエンジンの出力を低下することから、旋回位置を越えて走行することや、苗を空中で放出して無駄に消費することが防止される。
【００４７】
第六に、走行輪１ａの回転を規制するブレーキ装置を設け、接地検知部材７ｃが非検知状態で、且つ端部検知装置１ｃが検知状態になると、ブレーキ装置を作動させることにより、作業条の端部で走行車体を停止させる際に、ブレーキ装置が自動的に作動することにより、圃場の傾斜による機体移動を防止できる。
【００４８】
第七に、作業座席２の機体前側に、前鎮圧装置７を走行車体の前端部よりも機体後側に収納保持する保持部材７ｄと、走行車体の車高を上下動させる車高調節装置と、この車高調節装置による車体昇降と対応して、前鎮圧装置７を収納状態と使用状態に切り替える昇降連動制御部を備えることにより、前鎮圧装置７を収納状態にすると走行車体の前端部よりも機体後側に位置することで、旋回時に前鎮圧装置７が壁や畦に接触することを防止できるので、前鎮圧装置７の破損が防止される。
また、車高調節装置の操作に連動して前鎮圧装置７を使用状態または収納状態に切り替えることにより、車高の調節に合わせて前鎮圧装置７を別途操作する必要が無く、作業能率が向上する。
【符号の説明】
【００４９】
１      移植機
１ａ    走行輪
１ｃ    端部検知装置
２      作業座席
３      苗供給装置
５      苗植付具
７      前鎮圧装置
７ａ    鎮圧ローラ
７ｂ    鎮圧支持アーム
７ｃ    接地検知部材
７ｄ    保持部材
【図１】
2019110826.tif 000003
【図２】
2019110826.tif 000004
【図３】
2019110826.tif 000005